(57)【特許請求の範囲】
【請求項１】
複数のフィンを持つ室外熱交換器の少なくとも一部を覆う防護ネットと前記室外熱交換器との間に介在するクリップであって、
隣接する前記フィンの間に挟持される取付部と、
前記取付部に一体化され、前記フィンの端面に対面するストッパ面を持つストッパ部と、
前記ストッパ部に一体化され、前記防護ネットの一部に当接する把持部と、を持ち、
前記把持部は、前記ストッパ部側の部分である把持基部と、前記ストッパ部の逆側で前記把持基部に対して片持ち梁状に一体化されている把持端部と、を持ち、
前記把持基部と前記把持端部との間には切れ込み状の把持スリットが形成され、
前記把持部は、前記把持スリットに前記防護ネットの一部を収容するとともに前記把持基部と前記把持端部とによって前記防護ネットを把持し、
前記把持端部は、前記把持基部に対する固定端である固定部と、前記固定部以外の部分である一般部と、を持ち、
前記一般部は、前記把持基部に対面し前記把持スリットの一部を区画する把持面と、前記固定部と逆側に位置する自由端である開口端部と、を持ち、
前記開口端部側における前記把持面と前記ストッパ面との距離は、前記固定部側における前記把持面と前記ストッパ面との距離よりも小さいクリップ。
【請求項２】
複数のフィンを持つ室外熱交換器の少なくとも一部を覆う防護ネットと前記室外熱交換器との間に介在するクリップであって、
隣接する前記フィンの間に挟持される取付部と、
前記取付部に一体化され、前記フィンの端面に対面するストッパ面を持つストッパ部と、
前記ストッパ部に一体化され、前記防護ネットの一部に当接する把持部と、を持ち、
前記把持部は、前記ストッパ部側の部分である把持基部と、前記ストッパ部の逆側で前記把持基部に対して片持ち梁状に一体化されている把持端部と、を持ち、
前記把持基部と前記把持端部との間には切れ込み状の把持スリットが形成され、
前記把持部は、前記把持スリットに前記防護ネットの一部を収容するとともに前記把持基部と前記把持端部とによって前記防護ネットを把持し、
前記把持端部の前記把持面は、貫通溝状をなす保持溝部を複数持ち、前記保持溝部に前記防護ネットの一部を収容し、
前記保持溝部は前記開口端部から前記固定部に向けた前記把持スリットの延伸方向と交差する方向に延びる、クリップ。
【請求項３】
前記把持端部の前記把持面は、貫通溝状をなす保持溝部を複数持ち、前記保持溝部に前記防護ネットの一部を収容する請求項１に記載のクリップ。
【請求項４】
前記保持溝部は前記開口端部から前記固定部に向けた前記把持スリットの延伸方向と交差する方向に延びる請求項３に記載のクリップ。
【請求項５】
前記防護ネットは線状をなす第１線部と、前記第１線部と少なくとも１箇所で交差する第２線部と、前記第１線部と前記第２線部とによって少なくとも一部が区画されてなる複数の網目と、を持ち、
各々の前記網目の最大幅は、前記把持スリットの延伸方向における前記把持部の長さよりも小さい請求項１〜請求項４の何れか一項に記載のクリップ。
【請求項６】
複数のフィンを持つ室外熱交換器と、前記室外熱交換器の少なくとも一部を覆う防護ネットと、前記室外熱交換器と前記防護ネットの間に介在する請求項１〜請求項５の何れか一項に記載のクリップと、を持つ防護ネット付き室外熱交換器ユニット。
【発明の詳細な説明】
【技術分野】
【０００１】
本発明は、空気調和装置や冷凍機等の一部を構成する室外熱交換器を、防護ネットで覆う技術に関する。
【背景技術】
【０００２】
空気調和装置や冷凍機等の一部を構成する室外熱交換器は比較的高温になり易い。このため、室外熱交換器は防護ネット等の防護具で覆うのが一般的である（例えば、特許文献１参照）。
【０００３】
ところでこれらの室外熱交換器は、空気調和装置等や冷凍機等の運転時における振動を受けて振動する。このため、これらの室外熱交換器を防護ネットで覆うにあたり、室外熱交換器が振動することにより、防護ネットが室外熱交換器に対して相対的にばたついて、室外熱交換器と防護ネットとが干渉することで騒音が生じる場合がある。このため特許文献１においては、防護ネットと室外熱交換器との間にクリップを介在させることで防護ネットのばたつきを抑制し、ひいては防護ネットのばたつきに起因する騒音を抑制することを提案している。
【０００４】
しかし特許文献１の技術によると、防護ネットを室外熱交換器の冷媒管に向けてクリップで押さえ込むことで、防護ネットを室外熱交換器に固定している。つまり特許文献１に紹介されている技術によると、クリップは防護ネットの張力によって保持されている。したがって、例えば金属等に代表される比較的剛性の高い材料からなる防護ネットを用いる場合には、特許文献１の技術により防護ネットのばたつきを抑制することができると考えられる。しかし樹脂等の比較的剛性の低い材料からなる防護ネットを用いる場合には、防護ネットが変形するために、特許文献１の技術ではクリップを室外熱交換器および防護ネットに安定して保持できない可能性がある。換言すると、特許文献１の技術によると、クリップが室外熱交換器および防護ネットから脱落するおそれがあり、騒音を抑制できなくなる恐れがある。
【先行技術文献】
【特許文献】
【０００５】
【特許文献１】特開２００８−３９３００号公報
【発明の概要】
【発明が解決しようとする課題】
【０００６】
本発明は上記事情に鑑みてなされたものであり、室外熱交換器に対する防護ネットの相対的なばたつきを抑制しつつ防護ネットを室外熱交換器に安定して取り付けら得るクリップ、および、このようなクリップと室外熱交換器と防護ネットとを含む防護ネット付き室外熱交換器ユニットを提供することを目的とする。
【課題を解決するための手段】
【０００７】
上記課題を解決する本発明の防護ネットは、複数のフィンを持つ室外熱交換器の少なくとも一部を覆う防護ネットと、前記室外熱交換器との間に介在するクリップであって、
隣接する前記フィンの間に挟持される取付部と、
前記取付部に一体化され、前記フィンの端面に対面するストッパ面を持つストッパ部と、
前記ストッパ部に一体化され、前記防護ネットの一部に当接する把持部と、を持ち、
前記把持部は、前記ストッパ部側の部分である把持基部と、前記ストッパ部の逆側で前記把持基部に対して片持ち梁状に一体化されている把持端部と、を持ち、
前記把持基部と前記把持端部との間には切れ込み状の把持スリットが形成され、
前記把持部は、前記把持スリットに前記防護ネットの一部を収容するとともに前記把持基部と前記把持端部とによって前記防護ネットを把持するものである。
【０００８】
本発明のクリップは、室外熱交換器に取り付ける部分（取付部）と、防護ネットに取り付ける部分（把持部）とを別々に持つ。クリップは取付部により室外熱交換器に取り付けられる（挟持される）ため、防護ネットの材料や張力等を問わず、室外熱交換器に安定して保持される。また、クリップは把持部で防護ネットを挟み込むため、防護ネットの剛性や張力等を問わず、防護ネットを安定して保持できる。つまり、本発明のクリップは、室外熱交換器と防護ネットとの間に介在することで、室外熱交換器に対する防護ネットの相対的なばたつきを抑制し、かつ、クリップ自身により防護ネットを室外熱交換器に安定して保持することが可能である。以下、室外熱交換器に対する防護ネットの相対的なばたつきを防護ネットのばたつきと略する。
【０００９】
本発明のクリップは、下記の（１）〜（３）の何れかを備えるのが好ましく、（１）〜（３）の複数を備えるのがより好ましい。
（１）前記把持端部は、前記把持基部に対する固定端である固定部と、前記固定部以外の部分である一般部と、を持ち、
前記一般部は、前記把持基部に対面し前記把持スリットの一部を区画する把持面と、前記固定部と逆側に位置する自由端である開口端部と、を持ち、
前記開口端部側における前記把持面と前記ストッパ面との距離は、前記固定部側における前記把持面と前記ストッパ面との距離よりも小さい。
（２）前記把持端部の前記把持面は、貫通溝状をなす保持溝部を複数持ち、前記保持溝部に前記防護ネットの一部を収容する。
（３）前記保持溝部は前記開口端部から前記固定部に向けた前記把持スリットの延伸方向と交差する方向に延びる。
【００１０】
上記課題を解決する本発明の防護ネット付き室外熱交換器ユニットは、複数のフィンを持つ室外熱交換器と、前記室外熱交換器の少なくとも一部を覆う防護ネットと、前記室外熱交換器と前記防護ネットとの間に介在するクリップと、を持ち、
前記クリップは、
隣接する前記フィンの間に挟持される取付部と、
前記取付部に一体化され、前記フィンの端面に対面するストッパ面を持つストッパ部と、
前記ストッパ部に一体化され、前記防護ネットの一部に当接する把持部と、を持ち、
前記把持部は、前記ストッパ部側の部分である把持基部と、前記ストッパ部の逆側で前記把持基部に対して片持ち梁状に一体化されている把持端部と、を持ち、
前記把持基部と前記把持端部との間には切れ込み状の把持スリットが形成され、
前記把持部は、前記把持スリットに前記防護ネットの一部を収容するとともに前記把持基部と前記把持端部とによって前記防護ネットを把持するものである。
【００１１】
本発明の防護ネット付き室外熱交換器ユニットは、上記の（１）〜（３）および以下の（４）から選ばれる何れかを備えるのが好ましく、（１）〜（４）の複数を備えるのがより好ましい。
（４）前記防護ネットは線状をなす第１線部と、前記第１線部と少なくとも１箇所で交差する第２線部と、前記第１線部と前記第２線部とによって少なくとも一部が区画されてなる複数の網目と、を持ち、
各々の前記網目の最大幅は、前記把持スリットの延伸方向における前記把持部の長さよりも小さい。
【発明の効果】
【００１２】
本発明のクリップによると、防護ネットのばたつきを抑制しつつ、防護ネットを室外熱交換器に安定して取り付けることが可能である。また、本発明の防護ネット付き室外熱交換器ユニットによると、防護ネットのばたつきを抑制しつつ、防護ネットと室外熱交換器とを安定して取り付けることが可能である。
【図面の簡単な説明】
【００１３】
【図１】実施形態１の防護ネット付き室外熱交換器ユニットを模式的に表す一部切り欠き斜視図である。
【図２】実施形態１のクリップを図１に示す前後左右方向を通る平面で切断した様子を模式的に表す断面図である。
【図３】実施形態１の防護ネット付き室外熱交換器ユニットにおけるクリップの取り付け位置を説明する説明図である。
【図４】本発明のクリップの他の例を説明する説明図である。
【図５】本発明のクリップの他の例を説明する説明図である。
【図６】本発明のクリップの他の例を説明する説明図である。
【図７】実施形態２のクリップを図２と同位置で切断した様子を模式的に表す断面図である。
【図８】実施形態３のクリップを図２と同位置で切断した様子を模式的に表す断面図である。
【図９】実施形態４のクリップを図２と同位置で切断した様子を模式的に表す断面図である。
【発明を実施するための形態】
【００１４】
本発明の防護ネット付き室外熱交換器ユニットにおいて、防護ネットの材料や形状等は特に限定されない。また、ラスメタル（エキスパンドメタル）状の金属板または樹脂板や、金属製や樹脂製のエキスパンドボードも本発明における防護ネットに含まれる。
【００１５】
クリップの材料や大きさもまた特に限定されない。クリップは、室外熱交換器におけるフィンの間に取付部を挟持することができ、かつ、防護ネットを把持部で把持することができれば良い。なお、上述した振動による防護ネットのばたつき抑制（騒音抑制）を考慮すると、クリップおよび防護ネットの少なくとも一部は弾性変形可能な材料からなるのが良い。弾性により振動を吸収または減衰できるためである。
【００１６】
以下、本発明のクリップおよび防護ネット付き室外熱交換器ユニットを具体的に説明する。
【００１７】
（実施形態１）
実施形態１のネット付き室外熱交換器ユニットは、室外熱交換器としてガスヒートポンプの室外熱交換器を含む。以下、各実施形態の防護ネット付き室外熱交換器ユニットにおける各要素を、単に各実施形態の各要素と略する。例えば各実施形態の防護ネット付き室外熱交換器ユニットにおける防護ネットを、単に各実施形態の防護ネットと略する。図１は実施形態１の防護ネット付き室外熱交換器ユニットを模式的に表す一部切り欠き斜視図である。図２は実施形態１のクリップを図１に示す前後左右方向を通る平面で切断した様子を模式的に表す断面図である。図３は実施形態１の防護ネット付き室外熱交換器ユニットにおいて、防護ネットに対するクリップの取り付け位置を説明する説明図である。以下、上、下、左、右、前、後とは、図１および図２に示す上、下、左、右、前、後を指す。実施形態２以降に関しても同様である。
【００１８】
図１に示すように、防護ネット付き室外熱交換器ユニットは、防護ネット１とクリップ２と、室外熱交換器８とを持つ。防護ネット１は、複数の第１線部１０と複数の第２線部１１とを持つ。第１線部１０および第２線部１１はそれぞれ略線状をなす。ここで言う線状とは、紐状、帯状等を含む概念である。各第１線部１０は互いに略平行に配列し、各第２線部１１もまた互いに略平行に配列している。第１線部１０と第２線部１１とは互いに交差する方向に配置され、実際に複数箇所で交差している。実施形態１の防護ネット１は樹脂製であり、第１線部１０と第２線部１１とは互いに交差する部分（交差部１２）において溶着され一体化している。詳しくは、防護ネット１は軟質の樹脂材料の一種である低密度ポリエチレン（ＬＤＰＥ）を材料とする。なお、本発明の防護ネット付き室外熱交換器ユニットにおける防護ネット１は、金属や硬質樹脂等を材料とする比較的硬質のものであっても良いし、樹脂等を材料とする比較的軟質のものであっても良い。金属製の防護ネット１であれば、交差部１２において第１線部１０が第２線部１１に巻回されるか、または第２線部１１が第１線部１０に巻回されることにより第１線部１０と第２線部１１とが一体化されるのが一般的である。なお、防護ネット１のばたつきを抑制するためには、防護ネット１は軟質であるのが好ましい。防護ネット１自身の弾性により室外熱交換器の振動を吸収または減衰するためである。図１に示すように、防護ネット１は室外熱交換器８の一部であるフィン８０を覆っている。
【００１９】
クリップ２は、取付部３とストッパ部４と把持部５とを持つ。クリップ２は弾性材料の一種である樹脂製である。ストッパ部４は略円板状をなす。取付部３はストッパ部４の後板面４０に一体化され、把持部５はストッパ部４の前板面４１に一体化されている。ストッパ部４の後板面４０および前板面４１は略平面状をなす。図１に示すように、ストッパ部４の後板面４０はフィン８０の端面８１に対面する。つまり後板面４０は本発明の防護ネット付き室外熱交換器ユニットにおけるストッパ面に相当する。以下、ストッパ部４の後板面４０をストッパ面４０と呼ぶ。ストッパ面４０の幅Ｗ１は、隣接するフィン８０同士の隙間Ｗ２よりも大きいため、室外熱交換器８に対するクリップ２の取り付け位置（より具体的にはフィン８０の深さ方向すなわち図１における前後方向に対するクリップ２の取り付け位置）を望み通りの位置に規制することができる。なお、ストッパ面４０の少なくとも一部の幅Ｗ１が、隣接するフィン８０同士の隙間Ｗ２よりも大きければ、同様にストッパ面４０によって室外熱交換器８とクリップ２との取り付け位置を規制することが可能である。
【００２０】
取付部３は扁平な略Ｕ字状をなし、Ｕ字の湾曲部３０をストッパ部４とは逆側に向けてストッパ部４に一体化されている。湾曲部３０はフィン８０の間にクリップ２を挟持させる際の差し込み端となる。
【００２１】
把持部５は、把持基部５０と把持端部６０とを持つ。把持基部５０はストッパ部４の前板面４１に一体化されている。把持端部６０は把持基部５０に一体化されている。把持基部５０は肉厚略一定の略板状をなし、ストッパ部４に対して突設されている。図２に示すように、把持基部５０のなかでストッパ部４側の部分を把持基部５０の基端部５１と呼び、把持基部５０の中でストッパ部４と逆側の部分を把持基部５０の突出端部５２と呼ぶ。図１、２に示すように、把持基部５０の突出端部５２は基端部５１に比べて左右方向に広幅である。突出端部５２の端面５３は、平面状をなす受け面５４と曲面状をなす連絡面５５とを持つ。受け面５４は、図２中左側から図２中右側に向けて、ストッパ面４０との距離が短くなる方向に傾斜している。具体的には、受け面５４のなかで連絡面５５とは逆側の部分（図２に示す受け面５４の右端部）とストッパ面４０との距離は、受け面５４のなかで連絡面５５側の部分（図２に示す受け面５４の左端部）とストッパ面４０との距離よりも小さい。把持基部５０の略中央部には貫通孔状の孔部５６が形成されている。
【００２２】
把持基部５０の突出端部５２には把持端部６０が一体化されている。把持端部６０は略柱状をなし、突出端部５２の端面５３に長手方向を向けている。詳しくは、把持端部６０の長手方向の一端部である固定部６１は把持基部５０の突出端部５２における左端部に一体化されている。つまり固定部６１は把持基部５０に対する固定端である。把持基部５０の長手方向の他端部である開口端部６２は自由端である。したがって把持端部６０は把持基部５０に対して片持ち梁状に一体化されている。なお、把持基部５０のなかで固定部６１以外の部分は、本発明の防護ネット付き室外熱交換器ユニットにおける一般部６３に相当する。開口端部６２は一般部６３に含まれる。把持端部６０の一般部６３における後面６４は、突出端部５２の端面５３に対面する。この後面６４は本発明の防護ネット付き室外熱交換器ユニットにおける把持面に相当する。以下、把持端部６０の後面６４を把持面６４と呼ぶ。実施形態１のクリップ２の把持面６４は、図２に示すように、把持端部６０における後側の面のなかで曲面状をなす部分以外の部分である。把持端部６０における後側の面のなかで曲面状をなす部分は、固定部６１の連絡面６５と呼ぶ。固定部６１の連絡面６５は把持基部５０の連絡面５５と滑らかに連続している。把持基部５０と把持端部６０との間には切れ込み状の把持スリット７０が形成されている。把持スリット７０は把持面６４、受け面５４、固定部６１の連絡面６５および把持基部５０の連絡面５５によって区画されている。
【００２３】
把持面６４は、平面によって構成されている凹凸形状をなす。図２に示すように、固定部６１側における把持面６４とストッパ面４０との距離Ｌ２は、開口端部６２側における把持面６４とストッパ面４０との距離Ｌ１に比べて大きい。実施形態１のクリップにおいては、把持面６４とストッパ面４０との距離は、開口端部６２側において最小であり、固定部６１側（固定部６１の連絡面６５側）において最大である。
【００２４】
把持面６４の凸端面６６（受け面５４側の端面）は、受け面５４と略平行である。把持面６４のそれ以外の面は凹状の保持溝部６７を構成している。保持溝部６７は図１中上下方向に延び、把持端部６０の長手方向に沿って配列している。保持溝部６７は防護ネット１の一部を収容保持するための部分であり、保持溝部６７の溝幅および溝深さは、防護ネット１の第１線部１０および第２線部１１の径よりも大きい。また、保持溝部６７の溝幅および溝深さは、防護ネット１の交差部１２の径（外形）よりも大きい。
【００２５】
実施形態１の防護ネット付き室外熱交換器ユニットにおいて、クリップ２を用いて防護ネット１を室外熱交換器８に取り付ける方法を以下に説明する。
【００２６】
先ず、図１に示すように、クリップ２の取付部３を室外熱交換器８のフィン８０の間に差し込み、隣接する２つのフィン８０に挟持させる。取付部３の肉厚（図１中上下方向の厚さ）は隣接するフィン８０同士の距離よりも僅かに大きいため、クリップ２はフィン８０に安定して挟持され室外熱交換器８に安定して保持される。なお、クリップ２の取付部３を室外熱交換器８のフィン８０の間に差し込む際に、クリップ２の取付部３に形成されている凹み部分は、室外熱交換器８の配管の隙間に挟まる。このことによっても、クリップ２はフィン８０の間から抜け難く、室外熱交換器８に安定して保持される。なお、このときストッパ部４のストッパ面４０がフィン８０の端面８１に当接するまでクリップ２を差し込むことで、クリップ２を室外熱交換器８に対して位置決めでき、ひいては防護ネット１を室外熱交換器８に対して位置決めできる。
【００２７】
次いでクリップ２の把持端部６０を手でつまみ、把持端部６０を把持基部５０に対して開く。詳しくは、このとき把持端部６０は固定部６１側を中心として回動するかの如く位置変化し、把持端部６０と把持基部５０との間に形成されている把持スリット７０が開く。このとき、把持スリット７０内に防護ネット１の一部を収容し、把持端部６０から手を離して、把持端部６０に加えていた開き方向の力を解除すれば、把持部５の弾性により、把持端部６０の把持面６４と把持基部５０の受け面５４とで防護ネット１を把持できる。このとき把持スリット７０に収容する防護ネット１の一部とは、防護ネット１の如何なる部分であっても良い。例えば図１に示すように、防護ネット１の第１線部１０のみを把持部５で把持しても良い。第２線部１１のみを把持部５で把持しても良い。或いは、図３に示すように防護ネット１の第１線部１０と第２線部１１とをともに把持部５で把持しても良いし、交差部１２を把持部５で把持しても良い。
【００２８】
実施形態１のクリップ２は、室外熱交換器８に取り付ける部分（取付部３）と、防護ネット１を保持する部分（把持部５）とを別々に持つ。クリップ２は取付部３によって室外熱交換器８のフィン部８０に挟持されるため、防護ネット１の材料や張力等に関係なく、室外熱交換器８に安定して保持される。一方、防護ネット１はクリップ２の把持部５によって把持される。このため防護ネット１は剛性や張力等の防護ネット１自身の特性に関係なく、クリップ２に安定して保持できる。クリップ２は室外熱交換器８と防護ネット１との間に介在するため、室外熱交換器８の振動を防護ネット１に伝達し難く、かつ、防護ネット１に作用した外力を室外熱交換器８に伝達し難い。よって、実施形態の防護ネット付き室外熱交換器ユニットによると防護ネット１のばたつきを抑制し、かつ、クリップ２により防護ネット１を室外熱交換器８に安定して保持することが可能である。
【００２９】
実施形態１のクリップ２において、把持基部５０は孔部５６を持つ中空形状であるため、弾性変形し易い。このため、把持基部５０は、室外熱交換器８の振動や防護ネット１に外力が加わったことにより生じる防護ネット１と室外熱交換器８との相対的な位置変化を吸収または減衰できる。このため室外熱交換器８に対する防護ネット１のばたつきをより信頼性高く抑制することが可能である。
【００３０】
ところで、把持端部６０の固定部６１は、把持基部５０に一体化されている固定領域である。したがってこの固定部６１におけるストッパ部４側の面（つまり固定部６１の連絡面６５）とストッパ面４０との距離は、把持端部６０の開き易さ（つまり把持スリット７０の拡大し易さ）にあまり関与しない。一方、一般部６３は把持基部５０に対して位置変化可能な可動領域であり、このうち開口端部６２は最も大きく位置変化する。したがって、一般部６３におけるストッパ部４側の面（つまり把持面６４）とストッパ面４０との距離は、把持端部６０の開き易さに大きく関与する。図２に示すように、開口端部６２側における把持面６４とストッパ面４０との距離Ｌ１は、固定部６１側における把持面６４とストッパ面４０との距離Ｌ２に比べて小さい方が好ましい。なお、ここでいう各面とストッパ面４０との距離とは、自然状態（つまりクリップ２に外力が作用していない状態）における距離を指す。距離Ｌ１および距離Ｌ２は、Ｌ２−Ｌ１が１ｍｍ以上５ｍｍ以下となるのが好ましい。
【００３１】
把持端部６０は、把持基部５０に対して開く際に、図２中反時計回り方向に位置変化する。このため距離Ｌ１が距離Ｌ２よりも小さければ、把持端部６０は把持基部５０に対して閉じ方向に配置されていることになり、把持部５を大きく開くのに比較的大きな力を要する。つまり、距離Ｌ１が距離Ｌ２よりも小さければ把持部５は開き難く、クリップ２の把持部５によって防護ネット１を安定して保持（把持）可能である。この場合、把持面６４とストッパ面４０との角度（劣角）θは２°以上であるのが好ましく、４°以上であるのがより好ましい。劣角θは、より具体的には、把持面６４における固定部６１側の端部と開口端部６２側の端部とをとおる平面とストッパ面４０との角度（劣角）を指す。
【００３２】
実施形態１の防護ネット付き室外熱交換器ユニットにおいては、クリップ２の把持部５で防護ネット１を把持すると、防護ネット１の一部（実施形態１においては第１線部１０）は保持溝部６７に収容される。このとき保持溝部６７の溝壁６８は防護ネット１と係止する。このため、防護ネット１はクリップ２から外れ難く、クリップ２に安定して保持される。さらに、防護ネット１の一部は保持溝部６７という比較的小さい領域に収容される、このため防護ネット１は一端クリップ２に把持されると、クリップ２に対して相対移動し難い。つまり実施形態１のクリップ２は防護ネット１を比較的強固に保持し、防護ネット１のばたつきをより信頼性高く抑制できる。また、保持溝部６７は把持部５の長手方向つまり把持スリット７０の延伸方向（略左右方向）と交差する方向に延びる。このため防護ネット１と把持端部６０との接触面積は比較的小さく、防護ネット１から把持端部６０に加わる力もまた比較的小さい。このため、防護ネット１に風等の外力が作用した場合にも、把持端部６０が開き難く、把持スリット７０が拡大し難い。このことによっても、クリップ２は、防護ネット１を安定して保持できる。
【００３３】
実施形態１のクリップ２は保持溝部６７を持つが、本発明の防護ネット付き室外熱交換器ユニットにおけるクリップ２は必ずしも保持溝部６７を持たなくても良い。また、発明の防護ネット付き室外熱交換器ユニットにおけるクリップ２において、開口端部６２側における把持面６４とストッパ面４０との距離Ｌ１と、固定部６１側における把持面６４とストッパ面４０との距離Ｌ２とが同じ長さであっても良い。つまり、図４に示すように、クリップ２に保持溝部６７を設けず、把持面６４とストッパ面４０とが平行（つまり把持面６４とストッパ面４０との劣角θが０°）になるようにしても良い。この場合にも、把持部５の弾性によって、把持面６４とストッパ面４０で防護ネット１を把持できる。そしてこの場合にも、実施形態１の防護ネット付き室外熱交換器ユニットと同様に、防護ネット１を保持する把持部５０と室外熱交換器８に取り付けられる取付部３とをクリップ２に別々に設けたことで、防護ネット１の特性等に関係なく、室外熱交換器８に安定して取り付けられかつ防護ネット１を安定して保持できる。
【００３４】
なお、クリップ２の把持面６４は平面でなくても良く、図５に示すように曲面であっても良い。また、クリップ２の受け面５４もまた曲面であっても良いし、図６に示すように段差状をなす面であっても良い。図４および図６に示すように受け面５４と把持面６４とは略平行であっても良いし、図５に示すように受け面５４と把持面６４との距離は一定でなくても良い。何れの場合にも、防護ネット１を保持する把持部５と室外熱交換器８に取り付けられる取付部３とを別々に設けたことで、防護ネット１の特性等に関係なく、室外熱交換器８に安定して取り付けられかつ防護ネット１を安定して保持できる。なお、これらの何れの場合においても、開口端部６２側における把持面６４とストッパ面４０との距離Ｌ１を、固定部６１側における把持面６４とストッパ面４０との距離Ｌ２よりも小さくすることが好ましい。
【００３５】
図２に示すように、実施形態１の防護ネット付き室外熱交換器ユニットにおいて、把持基部５０と把持端部６０とは２つの連絡面５５によって曲面的に（略弧状をなすように）連絡されている。このため、把持端部６０が把持基部５０に対して開いたときに把持基部５０と把持端部６０との境界部分に作用する応力は分散する。よって、実施形態１のクリップ２は破損し難く耐久性に優れる。
【００３６】
実施形態１の防護ネットにおいては、把持端部６０の長手方向の長さは、第１線部１０、第２線部１１および交差部１２で区画されてなる防護ネット１の網目１５の最大幅よりも大きい。このため、望み通りの位置においてクリップ２で防護ネット１を把持できる。よって実施形態１の防護ネット付き室外熱交換器ユニットは室外熱交換器８に対するクリップ２および防護ネット１の取り付け作業性に優れる。なお、図１に示すように、クリップ２の把持部５で防護ネット１を把持した後、把持端部６０の開口端部６２側を防護ネット１の後側（フィン８０側）に押し込むことで、ネット１によってクリップ２の把持端部６０を押さえ込むことができ、把持端部６０が把持基部５０に対してより一層開き難くなる。このためこの場合にはクリップ２によって防護ネット１をより一層安定して保持できる。
【００３７】
（実施形態２）
実施形態２の防護ネット付き室外熱交換器ユニットは、把持面６４および受け面５４の形状以外は実施形態１の防護ネット付き室外熱交換器ユニットと同じものである。図７は実施形態２のクリップを図１と同位置で切断した様子を模式的に表す断面図である。
【００３８】
図７に示すように、実施形態２のクリップ２では、把持面６４は平面状をなしている。受け面５４は、実施形態１のクリップ２の把持面６４と同様に凹凸面状をなしている。したがって、受け面５４には、保持溝部６７と同様の第２の保持溝部５７が形成されている。このため実施形態２のクリップ２では、受け面５４の第２の保持溝部５７にネット１の一部を収容しつつ、把持面６４と受け面５４とで防護ネット１を把持する。このため、実施形態２の防護ネット付き室外熱交換器ユニットにおいても、実施形態１の防護ネット付き室外熱交換器ユニットと同様に、防護ネット１を安定して保持することが可能である。なお、クリップ２のなかで防護ネット１の一部を収容する溝状の部分（保持溝部６７、第２の保持溝部５７）は、実施形態２のクリップ２のように受け面５４に設けても良いが、実施形態１のクリップ２のように把持面６４に設ける方がより好ましい。位置変化可能な把持端部６０自体が防護ネット１と係止することで、開方向に向けた把持端部６０の位置変化を抑制し、把持端部６０を開き難くでき、ひいては防護ネット１を安定して保持できるためである。
【００３９】
（実施形態３）
実施形態３の防護ネット付き室外熱交換器ユニットは把持部５の形状以外は実施形態１の防護ネットと同じものである。図８は実施形態３のクリップ２を図１と同位置で切断した様子を模式的に表す断面図である。
【００４０】
図８に示すように、実施形態３のクリップ２は、第１係合部７５および第２係合部７６を持つ。第１係合部７５は把持端部６０に形成され、第２係合部７６は把持基部５０に形成されている。第１係合部７５および第２係合部７６は互いに相補的な鉤状をなし、係合可能である。
【００４１】
実施形態３のクリップ２は、樹脂製であり、図８中実線で示すように、把持スリット７０が開口しかつ第１係合部７５と第２係合部７６との係合が解除されている状態で射出成形される。成形されたクリップ２は紙面手前側―奥側方向に型抜きできる。実施形態３のクリップ２は、防護ネット１の一部を把持面６４と受け面５４との間（つまり把持スリット７０）に収容し、図８中２点鎖線で示すように把持端部６０を把持基部５０側に向けて位置変化させて把持スリット７０を閉じ、第１係合部７５と第２係合部７６とを係合させることで、防護ネット１を安定して把持する。なお、実施形態３のように把持スリット７０が開口した開状態でクリップ２を成形する場合にも、クリップ２の完成形状は係合部７５、７６を係合させた状態（図８中２点鎖線で示す）であるため、この完成形状がクリップ２の自然状態となる。つまり、実施形態３のクリップ２のように開状態で成形されるクリップ２であっても、開口端部６２側における把持面６４とストッパ面４０との距離を、固定部６１側における把持面６４とストッパ面４０との距離よりも小さくすることができる。
【００４２】
実施形態３のクリップ２は、容易に製造でき、かつ、第１係合部７５と第２係合部７６とによって防護ネット１を比較的強固に保持することが可能である。
【００４３】
（実施形態４）
実施形態４の防護ネット付き室外熱交換器ユニットは把持部５の形状以外は実施形態１の防護ネット付き室外熱交換器ユニットと同じものである。図９は実施形態４のクリップ２を図１と同位置で切断した様子を模式的に表す断面図である。
【００４４】
図９に示すように、実施形態４のクリップ２における第１係合部７５および第２係合部７６は、結束バンド状をなす。第１係合部７５は略バンド状をなし把持端部６０に形成されている。第１係合部７５は段部７５ａを図９中紙面手前側に向けている。第２係合部７６は略枠状をなし把持基部５０に形成されている。第２係合部７６は枠内の開口７６ａを図９中紙面手前側―奥側方向に向けている。したがって実施形態４のクリップ２もまた射出成形でき、成形されたクリップ２は紙面手前側―奥側方向に型抜きできる。実施形態４のクリップ２は、防護ネット１の一部を把持面６４と受け面５４との間（つまり把持スリット７０）に収容し、第１係合部７５を湾曲させて第２係合部７６に差し込み、第１係合部７５と第２係合部７６とを係合させることで、防護ネット１を安定して把持する。
【００４５】
なお、把持端部６０を持たず防護ネット１を把持できないクリップ２であっても、一般的な結束バンドを用いれば防護ネット１を取り付け得る。しかしこの場合、防護ネット１を室外熱交換器８に取り付けるために、クリップ２および結束バンドの２部材が必要になる。この場合、室外熱交換器８に対する防護ネット１の取り付け作業が煩雑になり、防護ネット１の取り付け部材（つまりクリップ２および結束バンド）の管理や取り扱いも煩雑になる。したがってこの場合には、室外熱交換器８に対する防護ネット１の取り付け作業性を向上させ難い問題がある。実施形態４のクリップ２によると、クリップ２の把持部５で防護ネット１を把持する操作は非常に容易である。また、結束バンド（つまり第１係合部７５および第２係合部７６）はクリップ２に一体化されているため、第１係合部７５と第２係合部７６とを係合させる操作もまた容易である。第１係合部７５および第２係合部７６とクリップ２とを一体に成形しているため、これらを別体で成形する場合に比べて製造コストを低減できる利点もある。
【００４６】
なお、第１係合部７５と第２係合部７６とは、必ずしも全てのクリップ２において係合させなくても良い。第１係合部７５と第２係合部７６とを係合させなくても、実施形態１のクリップ２と同様に防護ネット１を安定して把持できる。また、例えば多数のクリップ２のなかで防護ネット１のばたつきに大きく関与する一部のクリップ２についてのみ、第１係合部７５と第２係合部７６とを係合させても良い。
【００４７】
実施形態４のクリップ２は、容易に製造でき、かつ、第１係合部７５と第２係合部７６とによって防護ネット１を比較的強固に保持することが可能である。
【００４８】
本発明の防護ネット付き室外熱交換器ユニットにおけるクリップ２は、種々の室外熱交換器８および防護ネット１と組み合わせて使用することができる。また、種々の防護ネット１に仮取付した一体品として取り扱うことも可能である。このようなクリップ２と防護ネット１との一体品においてもまた、上記した（１）〜（３）の少なくとも一つを備える本発明のクリップ２を用いるのが好ましい。防護ネットも同様に、上記した（４）を備えるものを用いるのが好ましい。
【００４９】
（その他）
本発明のクリップは、各種装置の室外熱交換器と、当該室外熱交換器を覆う防護ネットと、を取り付けるためのクリップとして用いることができる。また、本発明の防護ネット付き室外熱交換器ユニットは、室外熱交換器として、各種装置の室外熱交換器を含み得る。
【００５０】
本発明は、上記し且つ図面に示した実施形態にのみ限定されるものではなく、要旨を逸脱しない範囲内で適宜変更して実施できる。
【符号の説明】
【００５１】
１は防護ネット、２はクリップ、３は取付部、４はストッパ部、５は把持部、８は室外熱交換器、１０は第１線部、１１は第２線部、１５は網目、４０はストッパ面、５０は把持基部、６０は把持端部、６１は固定部、６２は開口端部、６３は一般部、６４は把持面、６７は保持溝部、７０は把持スリット、８０はフィン、８１はフィンの端面、Ｌ１は開口端部側における把持面とストッパ面との距離、Ｌ２は固定部側における把持面とストッパ面との距離を示す。
【図１】
0005949156.tif 000002
【図２】
0005949156.tif 000003
【図３】
0005949156.tif 000004
【図４】
0005949156.tif 000005
【図５】
0005949156.tif 000006
【図６】
0005949156.tif 000007
【図７】
0005949156.tif 000008
【図８】
0005949156.tif 000009
【図９】
0005949156.tif 000010